(57)【要約】    【課題】  ゴルフボールの飛距離を大幅に伸ばすことのできるようにしたクラブヘッドを提供する。    【解決手段】  メタルウッド型クラブヘッド(10)において、クラウン(12)表面の打撃フェイス(11)側の部位には複数のディンプル列(20)を相互に平行に形成し、複数の各ディンプル列(20)は複数の円形ディンプルをクラウン(12)前端縁に沿って配列して構成する。さらに、クラウン(12)表面のヘッド背面(13)側の部位にも複数のディンプル列(21)を相互に平行に形成するのがよい。また、ヘッド背面(13)には段部を介して平坦面(13A)を形成し、ヘッド背面(13)を後方に突出したルーフ状に形成するのがよい。【選択図】  図１
2009000281.tif 000002
【特許請求の範囲】
【請求項１】
メタルウッド型クラブヘッドにおいて、
ヘッド外表面が打撃フェイス、クラウン、ヘッド背面及びソールから構成され、
クラウン表面の打撃フェイス側の部位には複数のディンプル列が相互に平行に形成され、複数の各ディンプル列は複数の円形ディンプルをクラウン前端縁に沿って配列して構成されていることを特徴とするメタルウッド型クラブヘッド。
【請求項２】
メタルウッド型クラブヘッドにおいて、
ヘッド外表面が打撃フェイス、クラウン、ヘッド背面及びソールから構成され、
クラウン表面の打撃フェイス側の部位及びヘッド背面側の部位には複数のディンプル列が相互に平行に形成され、打撃フェイス側のディンプル列は複数の円形ディンプルをクラウン前端縁に沿って配列して構成され、ヘッド背面側のディンプル列は複数の円形ディンプルをクラウン後端縁に沿って配列して構成されていることを特徴とするメタルウッド型クラブヘッド。
【請求項３】
ヘッド背面には段部を介して平坦面が形成されることによって後方に突出したルーフ状に形成されている請求項１又は２記載のメタルウッド型クラブヘッド。
【発明の詳細な説明】
【技術分野】
【０００１】
本発明はメタルウッド型クラブヘッドに関し、特にゴルフボールの飛距離を大幅に伸ばすことのできるようにしたクラブヘッドに関する。
【背景技術】
【０００２】
ゴルフ競技中にゴルフボールの飛距離が大きく伸びると、次のショットを楽に行え、スコアアップにつながる。
【０００３】
ところで、ダウンスイング時に打撃フェイスからヘッド表面に沿って空気流が発生するが、クラウン、ソール及びホーゼルなどにおいて空気流が渦を伴う乱れた流れとなり、ヘッドに作用する流体抵抗が大きく、ヘッド速度を低下させることが知られている。
【０００４】
そこで、打撃フェイスを除くヘッド外表面の全面にディンプルを設けて空気抵抗を減らすようにしたクラブヘッド（特許文献１）、ヘッドのクラウンに大きさの異なるディンプルを形成して空気抵抗を少なくするようにしたクラブヘッド（特許文献２）、クラウンの空気流の剥離点よりも後方にディンプルを設け、空気抵抗を少なくするようにしたクラブヘッド（特許文献３）、が提案されている。
【０００５】
【特許文献１】特開２００１−２５９０８９号公報
【特許文献２】特開２００２−２７２８８３号公報
【特許文献３】特開平０６−７４８４号公報
【発明の開示】
【発明が解決しようとする課題】
【０００６】
しかし、特許文献１〜３記載のクラブヘッドでは空気流の乱れが期待したほど抑制又は軽減されず、ヘッド速度もそれほどアップしなかった。
【０００７】
本発明はかかる状況において、ヘッド表面における空気流の乱れを大幅に抑制し又は軽減してヘッド速度を確実にアップできるようにしたメタルウッド型クラブヘッドを提供することを課題とする。
【課題を解決するための手段】
【０００８】
そこで、本発明に係るメタルウッド型クラブヘッドは、メタルウッド型クラブヘッドにおいて、ヘッド外表面が打撃フェイス、クラウン、ヘッド背面及びソールから構成され、クラウン表面の打撃フェイス側の部位には複数のディンプル列が相互に平行に形成され、複数の各ディンプル列は複数の円形ディンプル（くぼみ）をクラウン前端縁に沿って配列して構成されていることを特徴とする。
【０００９】
今、ヘッド速度を計算する。１）まず、ヘッド速度Ｖ０を仮定する。２）抗力係数を仮定する。抗力係数はＣｄ形によって決まる。３）式、Ｆｆ＝０．５＊ρ＊Ｖ＾２＊Ａｒｅａ＊Ｃｄ  を用いて抗力を計算する。４）振り下ろし力Ｆｇを仮定する。５）空気力を引いた振り下ろし力を仮定する。Ｆａｇ＝Ｆｇ−０，５＊Ｆｆ。全振り下ろし工程では平均の流体力を仮定。６）速度を計算する。運動エネルギー＝重力の仕事＋ヘッドに加わる力による仕事より、
０．５＊（Ｗ／Ｇ）＊√２＝ＷＨ＋∫（Ｆｍ−Ｆｆ）ｄΘ＝ＷＨ＋Ｆａｑ＊Θｆ
Ｖ＝（２Ｇ）＾０．５＊（Ｈ＋Ｆａｑ＊Θｆ／Ｗ）＾０．５
としてはじめのＶ０が形成されたＶと同じなら、流体力を求めたものが妥当とする。
【００１０】
ここで、ヘッドの抵抗はヘッド速度の２乗、抵抗係数の１乗、投影面積の１乗に比例するため、抵抗係数を小さくすることはヘッド抵抗を少なくする上で有効である。
【００１１】
本件発明の特徴の１つはクラウン表面の前部にディンプル列を形成するようにした点にある。これにより、クラウン表面前部における空気流の剥離が抑制され、空気がクラウンに沿ってスムーズに流れ、渦の生成が抑制され軽減されるので、ヘッドに作用する流体抵抗は少なく、ヘッド速度を確実にアップさせることができる。
【００１２】
本発明においてヘッド背後の渦の生成を少なくする上で、クラウン表面の後部にもディンプル列を形成するのがよい。即ち、本発明によれば、メタルウッド型クラブヘッドにおいて、クラウン表面の打撃フェイス側の部位及びヘッド背面側の部位には複数のディンプル列が相互に平行に形成され、打撃フェイス側のディンプル列は複数の円形ディンプルをクラウン前端縁に沿って配列して構成され、ヘッド背面側のディンプル列は複数の円形ディンプルをクラウン後端縁に沿って配列して構成されていることを特徴とするメタルウッド型クラブヘッドを提供することができる。
【００１３】
さらに、空気流が渦を生成することなくヘッド表面に沿って後方にスムーズに流れてヘッド背面に廻り込むので、ヘッド背面には段部を介して平坦面を形成し、ヘッド背面を後方に突出したルーフ状に形成すると、ヘッド背面に廻り込んだ空気流がヘッド背面の平坦面を前方に押して推進力にすることができる。
【発明を実施するための最良の形態】
【００１４】
以下、本発明を具体例に基づいて詳細に説明する。図１ないし図３は本発明に係るメタルウッド型クラブヘッドの好ましい実施形態を示す。図において、クラブヘッド１０は金属材料、例えばチタン等の鋳造部品又は鍛造部品を中空状に組立て溶接によって相互に結合して製作されている。
【００１５】
このクラブヘッド１０は打撃フェイス１１、クラウン１２、ヘッド背面１３及びソール１４から構成され、クラウン１３は打撃フェイス１１の上端縁からヘッド背面１３に向けて延び、ソール１４は打撃フェイス１１の下端縁からヘッド背面１３に向けて延びている。また、打撃フェイス１１は真球面となっている。
【００１６】
また、クラブヘッド１０の打撃フェイス１１の一側方の部分はトウ、他側方の部分はヒールであり、クラウン１２のヒール側には平面流線形状で側面ぼほ三角形状のホーゼル１５が一体的に形成されている。このホーゼル１５にはシャフトの先端部分が差し込まれて連結されるようになっており、シャフトの上端部にはグリップが設けられている。
【００１７】
さらに、クラウン１２の打撃フェイス１１側の部分には２つのディンプル列２０が相互に平行に形成され、このディンプル列２０は複数の円形ディンプルをクラウン１２の前端縁に沿って配列して構成されている。
【００１８】
また、クラウン１２のヘッド背面１３側の部分には３つのディンプル列２１が相互に平行に形成され、このディンプル列２１は複数の円形ディンプルをクラウン１２の後端縁に沿って配列して構成されている。
【００１９】
さらに、ヘッド背面１３の下部には平坦面１３Ａが段部を介して形成されてヘッド背面１３は後方に突出したルーフ形状となっている。
【００２０】
プレイヤーがグリップを握り、ゴルフボールを前方に置いて目標に対してスクエアーにアドレスし、ゴルフクラブをバックスイングし、その状態からゴルフボールに向けてダウンスイングすると、クラブヘッド１０はシャフトによって導かれながらゴルフボールに向かって移動し、打撃フェイス１１がゴルフボールを打撃し、ゴルフボールは飛球する。
【００２１】
このとき、クラブヘッド１０の廻りには空気流が発生するが、クラウン１２の前部にはディンプル列２０が形成されているので、空気流はクラウン１２に沿ってスムーズに流れ、クラウン１２の後部まで流れると、クラウン１２の後部にはディンプル列２１が形成されているので、空気流はクラウン１２の後部からあまり剥離せずにクラブヘッド１０の背後に流れる。
【００２２】
その結果、クラブヘッド１０の表面における空気流の乱れは大幅に抑制し又は軽減され、クラブヘッド１０に対する空気抵抗が少なくなるので、ヘッド速度を確実にアップすることができる。
【００２３】
また、ヘッド背面１３には平坦面１３Ａを段部を介して形成しているので、クラブヘッド１０の背後に達した空気流の一部は平坦面１３Ａに廻り込んで平坦面１３Ａを前方に押し、これによって前方への推進力が生じてヘッド速度をさらに向上できる。
【図面の簡単な説明】
【００２４】
【図１】本発明に係るメタルウッド型クラブヘッドの好ましい実施形態を示す斜視図である。
【図２】上記実施形態を示す平面図である。
【図３】上記実施形態を示す側面図である。
【符号の説明】
【００２５】
１０      クラブヘッド
１１      打撃フェイス
１２      クラウン
１３      ヘッド背面
１４      ソール
１５      ホーゼル
２０、２１      ディンプル列
【図１】
2009000281.tif 000003
【図２】
2009000281.tif 000004
【図３】
2009000281.tif 000005